(57)【要約】【目的】施工性、防水性に優れた穴開き防水シートを用いた防水工法において、穴開き防水シートと防水下地面の間に存在する水分の除去及び脱気を効果的に行なうことにより含有空気の膨張による防水面の膨れを防止することを目的とする。【解決手段】穴開き防水シートを防水下地面に敷設し、穴開き防水シートの穴の部分に接着剤を塗布して穴の周辺部分のみを貼着させ、しかる後穴開き防水シート面に防水材を塗布する穴開き防水シートを用いた防水工法において、中空孔が横に連設して、あたかもストローが板状に寄せ集まった形状の中空シートからなる脱気用エアパネルで、この脱気用エアパネルにスリットを入れて折曲げ、折曲げた脱気用エアパルの片側を防水下地面と穴開き防水シートの間に貼着すると共に、脱気用エアパネルの他の片側を防水施工周縁立上り部に貼着する。貼着する脱気用エアパネルの先端部はスリットを入れて折曲げ、折曲げた上部折返し部分へ不織布からなるエアライナーをを貼着すると共に、折曲げたエアパネルの上部にエアキャップを被せる。【選択図】　図４
2004019423.tif 000002
【特許請求の範囲】
【請求項１】
穴開き防水シートを防水下地面に敷設し、穴開き防水シートの穴の部分に接着剤を塗布して穴の周辺部分のみを貼着させ、しかる後穴開き防水シート面に防水材を塗布する防水工法において、中空孔が横に連設して、あたかもストローが板状に寄せ集まった形状の中空シートからなる脱気用エアパネルで、この脱気用エアパネルにスリットを入れて折曲げ、折曲げた脱気用エアパネルの片側を防水下地面と穴開き防水シートの間に貼着すると共に、脱気用エアパネルの他の片側も防水施工周縁立上り部に貼着し、貼着する脱気用エアパネルの先端部にスリットを入れて折曲げ、折曲げた上部折返し部分へ不織布からなるエアライナーを貼着して、折り曲げた脱気用エアパネルの上部にエアキャップを被せることを特徴とする脱気用エアパネル及び施工方法。。
【請求項２】
脱気用エアパネルは立ち上がりの形状に合わせて、高さを調整すると共に、防水下地面と穴開き防水シートの間に貼着する折曲げた脱気用エアパネルの寸法は５ｃｍ以上、脱気用エアパネルの幅は、１５ｃｍ以上とし、取付の位置は、勾配方向の前後立ち上がりへ３〜６ｍ間隔とすることを特徴とする請求項１記載の脱気用エアパネル及び施工方法。
【発明の詳細な説明】
【０００１】
【発明の属する技術分野】
本発明は施工性、防水性に優れた穴開き防水シートを用いた防水工法において穴開き防水シートと防水下地面の間に存在する水分の除去及び脱気を効果的に行なうことにより含有空気の膨張による防水面の膨れを防止することを目的とする。
【０００２】
【従来の技術】
防水工法には防水シートを用いて施工する接着工法、あるいは接着剤を使用せず断熱材である合成樹脂発泡板を敷設して施工する浮かし張り工法等がある。防水施工は下地が充分乾燥していることが必要であるが、現場の施工時期、施工条件等によって下地の乾燥が充分に行なわれず施工されることが多々あり、この様な場合施工後、下地に含有する水分の蒸発並びに合成樹脂発泡板に含まれる空気の熱膨張等によって防水面に膨れを生ずることがある。又接着剤を使用した場合接着剤の溶剤又は水分等の残留物が温度の上昇と共に揮発して防水面に膨れを生じさせることもある。
【０００３】
このような膨れは防水施工面の外観を著しく損なうばかりでなく、温度変化による防水シートの膨張収縮を頻繁に繰り返すことによって防水機能をも劣化させることになる。このような問題を解決するため従来防水面に部分的に同筒形状の脱気塔を設けたり、円盤状の脱気盤を設置して脱気を行なったり、防水シートと下地との間に通気性を有する脱気用シートを全面に挿入して防水シートの末端から脱気したりこれに脱気盤を併用させる方法等がある。
【０００４】
【発明が解決しようとする課題】
しかし防水面に脱気塔を設けることは使用時の歩行障害物となり適したものとは言えず、さらに異物などによる目詰まりによってその機能が果せなくなることもある。脱気盤は上蓋部が盤状の厚さ１０ｍｍ前後のものであるため機能的に固定しこれに水密処理を施さねばならず、耐久性、耐候性において問題が多いものである。
【０００５】
又、従来の脱気シートは合成樹脂あるいはゴム系のシートに微細な通気孔を多数穿設したものであり、防水下地面に敷設した上に防水シートを施工するもので、脱気シートに穿設した通気孔がふさがらないため部分的な接着をしなければならず施工上はなはだ難しいものであった。
【０００６】
【課題を解決するための手段】
本発明は従来の欠点を解消するべく成されたもので、穴開き防水シートを防水下地面に敷設し、穴開き防水シートの穴の部分に接着剤を塗布して穴の周辺部分のみを貼着させ、しかる後穴開き防水シート面に防水材を塗布する穴開き防水シートを用いた防水工法において、中空孔が横に連設して、あたかもストローが板状に寄せ集まった形状の中空シートからなる脱気用エアパネルで、この脱気用エアパネルにスリットを入れて折曲げ、折曲げた脱気用エアパルの片側を防水下地面と穴開き防水シートの間に貼着すると共に、脱気用エアパネルの他の片側を防水施工周縁立上り部に貼着する。貼着する脱気用エアパネルの先端部はスリットを入れて折曲げ、折曲げた上部折返し部分へ不織布からなるエアライナーをを貼着し、折曲げた脱気用エアパネルの上部にエアキャップを被せる。
【０００７】
脱気用エアパネルは立ち上がりの形状に合わせて、高さを調整すると共に、防水下地面と穴開き防水シートの間に貼着する折曲げた脱気用エアパネルの寸法は５ｃｍ以上、脱気用エアパネルの幅は、１５ｃｍ以上とし、取付の位置、間隔は、勾配方向の前後立ち上がりへ３〜６ｍ間隔とする。
【０００８】
本発明における穴開き防水工法は、防水下地面に脱気用エアパネルを貼着しその上に穴開き防水シートを敷設し、穴開き防水シートの穴の部分に接着剤を塗布して穴開き防水シートの穴の周辺部分のみを防水下地面に貼着させ、しかる後穴開き防水シート面に防水材を塗布するものであり、極めて優れた防水工法として評価されている。
【０００９】
【発明の実施の形態】
本発明者等は、各種材質や形態の穴開き防水シートを発明し（特願平８−２８５７６５，特願平９−２９６０９９，特願平１０−３７８１７２，特願平１１−５４４９０，特願平１１−２１９０６２）これ等の穴開き防水シートを用いた防水工法による施工実績を数多く示してきた。
【００１０】
防水施工方法は現場作業を極力減らす工法が望まれているため、本発明の防水工法はかかる要請により成されたものである。穴開き防水シートを防水下地面に敷設し、穴開き防水シートの穴の部分に接着剤を塗布して穴の周辺部分のみを貼着させ、しかる後穴開き防水シート面に防水材を塗布する穴開き防水シートを用いた防水工法において、中空孔が横に連設して、あたかもストローが板状に寄せ集まった形状の中空シートからなる脱気用エアパネルで、この脱気用エアパネルにスリットを入れて折曲げ、折曲げた脱気用エアパネルの片側を防水下地面と穴開き防水シートとの間に貼着すると共に、脱気用エアパネルの他の片側を防水施工周縁立上り部に貼着する。脱気用エアパネルの立ち上がり部となる先端の通気孔から、強風雨が当たっても雨水の浸水により、脱気用エアパネルを伝わって内部に侵入できないよう、又通気孔にごみや塵等による目詰りが生じない為、貼着する脱気用エアパネルの先端部分にスリットを入れて内側に折曲げ、折曲げた上部折返し部分へ不織布からなるエアライナーを貼着して、折曲げた脱気用エアパネルの上部にエアキャップを被せるのである。
【００１１】
脱気用エアパネルは穴開き防水シートを敷く前に、脱気場所を決め立ち上がり部分及び防水下地面に貼着し、その上に穴開き防水シートを敷設し、穴開き防水シートの穴の部分に接着剤を塗布して穴開き防水シートの穴の周辺部分のみを防水下地面に貼着させ、しかる後穴開き防水シート面に防水材を塗布するのである。
【００１２】
脱気用エアパネルは立ち上がりの形状、脱気箇所の寸法に合わせて、自由にカットして高さを調整すると共に、防水下地面と穴開き防水シートの間に貼着する折曲げた脱気用エアパネルの寸法は５ｃｍ以上、脱気用エアパネルの幅は、１５ｃｍ以上とし、取付の位置は、勾配方向の前後立ち上がりへ３〜６ｍ間隔にすることが好適である。
【００１３】
本発明の脱気用エアパネルは、中空孔が横に連設して、あたかもストローが板状に寄せ集まった形状の中空シートを用いるのである。この中空シートは中空合成樹脂シート、中空アルミニウムシートなどが好適に使用される。この中空シートの外観を装飾及び保護するため、中空シートに表裏面材を貼着しても良い。表裏面材には合成樹脂シート又はフイルム、金属シート、金属箔等を用いることができる。
【００１４】
中空孔が横に連設している中空シートの厚みとなる中空孔の大きさは、１ｍｍ以上とする。１ｍｍ厚以上としたのは１ｍｍより薄い脱気用エアパネルでは目詰まり等により充分な機能を発揮できないからである。しかしあまり中空孔の大きい厚い脱気用エアパネルにすると逆に水が流れ込むこともあり、このため脱気用エアパネルの厚さは１ｍｍ〜５ｍｍがより好適である。
【００１５】
脱気用エアパネルとなる中空シートは、押出成形によって容易に成形することができ、中空合成樹脂シートの場合その材質は例えばポリエチレン、ポリプロピレン、塩化ビニール、ポリスチレン、ＡＢＳ樹脂、ポリカーボネート、ナイロン６６、アセタール樹脂、メタアクリル樹脂又はこれ等の共重合樹脂等が使用できる。尚、中空合成樹脂シートの代わりに中空アルミニウムシートを使用しても良い。脱気用エアパネルを折曲げる場合、折曲げる線上の逆の面にカッターで切り込みを入れて折曲げる。カッターでスリットを入れる事によって中空孔が切断されるが使用上は支障がないのである。
【００１６】
脱気用エアパネルを防水下地面に貼着する場合の取付の位置、間隔は、勾配方向の前後立ち上がりへ３〜６ｍ間隔で取付ける。防水下地面と穴開き防水シートとの間に入れる側の脱気用エアパネルの長さは、５〜１０ｃｍ程度が一般的である。いずれも防水下地面の施工面積あるいは施工条件等によって決めなければならない。脱気用エアパネルの幅は、１０ｃｍ以上が好適である。１０ｃｍ以下では脱気用エアパネルとしての機能が充分働かないからである。防水下地面周縁の立ち上がり部に固定する側の脱気用エアパネルの長さは、防水下地面の施工面積、施工条件等によって決めなけばならないが、防水下地面から立上りの高さ＋５ｃｍ程度が好適である。脱気用エアパネルは、接着剤で周縁立上り部に貼着固定すると共に、脱気用エアパネル先端の通気孔から雨水の浸水や通気孔にごみや塵等によって目詰りが生じない為、貼着した脱気用エアパネルの先端部分にスリットを入れて内側に５〜５０ｍｍ程折曲げ、折曲げた上部折返し部分、即ち脱気用エアパネル先端の通気孔の部分に不織布からなるエアライナーを貼着して、折曲げた脱気用エアパネルの上部にエアキャップを被せる。
【００１７】
脱気用エアパネルの折曲げた先端部分に貼着する不織布の材質は、特に限定する必要はなく天然繊維の他、化学繊維である再生繊維、半合成繊維、合成繊維、無機繊維等いずれでも良い。通気性が良好で防水性、溌水性が必須用件であるが更に防火性、難燃性があるか不燃性であればより好適である。天然繊維、再生繊維、半合成繊維、合成繊維等に難燃処理をしたもの、金属繊維、ガラス繊維、岩石繊維、鉱滓繊維等が使用できる。不織布を貼着することによって、脱気用エアパネル通気孔の防水性、溌水性、通気性を良好にすることが出来る。不織布からなるエアライナーを接着剤を使用して貼着する場合、エポキシ変性ゴム系ラテックス型、ゴム系ラテックス型、酢酸ビニル樹脂系エマルジョン型、ビニル共重合系エマルジョン型などが使用できる。
【００１８】
脱気用エアパネルの折曲げた先端部分に不織布であるエアライナーを貼着して被せるエアキャップは、脱気用エアパネル先端の通気孔から雨水の浸水や通気孔にごみや塵等によって目詰りが生じない為に使用するもので、耐候性、防火性、溌水性に優れたものでなければならない。アルミニウムや合成樹脂等の押出し成形型材が好適に使用される。エアキャップを被せる場合接着剤を使用することは必要条件ではないがエアキャップの挟み込み部に接着剤を塗布して被せてもよい。
【００１９】
脱気用エアパネルを防水下地面と穴開き防水シートとの間に貼着する接着剤、あるいは防水下地面周縁の立上がり部である壁又はパラペット等の躯体に貼着する接着剤は、弾性を有するものが望ましくエポキシ変性ゴム系ラテツクス型、ゴム系ラテツクス型、酢酸ビニル樹脂系エマルジョン型、ビニル共重合系エマルジョン型などが使用できる。
【００２０】
穴開き防水シートの上面に防水施工する防水材は、塗膜防水材が好ましくアクリル系、ウレタン系、エチレン酢酸ビニル共重合体系、クロロプレン系等が使用されるが、国土交通省の認定を受けた不燃塗膜防水材がより好適である。防水施工する塗膜防水材は、穴の部分に接着剤を塗布して穴開き防水シートの穴周辺を防水下地面に貼着させ、しかる後穴開き防水シート面に施工する。
【００２１】
【実施例】
以下本発明の脱気用エアパネル及び施工方法についての実施例を説明する。
【００２２】
実施例　厚さ１．０ｍｍのポリプロピレン製の中空孔が横に連設している中空合成樹脂シートの表裏面にアルミニウム箔を貼着して脱気用エアパネルを作製した。脱気用エアパネルの寸法は、横幅が２０ｃｍ、縦長さが４６ｃｍである。
【００２３】
この脱気用エアパネルを縦５ｃｍのところにスリットを入れて折り曲げ、防水下地面の勾配方向の前後立上りへ５ｍ間隔に接着剤で貼着すると共に、脱気用パネルの他の片側端部も防水施工周縁の立上り部に接着剤で貼着した。脱気用エアパネルの先端部は、先端部から１５ｍｍの位置にスリットを入れて内側に折曲げ、折曲げた上部折返しで脱気用エアパネル通気孔の前部に、ガラス繊維不織布からなるエアライナーを貼着し、折曲げた脱気用エアパネルの上部にプラスチック製のエアキャップを被せてある。
【００２４】
しかる後穴開き防水シートを敷設して穴の部分に接着剤を塗布して穴開き防水シートの穴周辺部を防水下地面に貼着した後、穴開き防水シートの上面を国土交通省認定の不燃塗膜防水材（「リボールマイティ」株式会社リボール製）を塗布して不燃防水塗膜層を形成した。
【００２５】
本実施例で用いた接着剤は、いずれもエポキシ変性ゴム系ラテックス型（三井東圧化学（株）製「ストラクトボンドＥ−９００」）である。
【００２６】
【発明の効果】
本発明に係る脱気用エアパネル及び施工方法は、高度の現場施工技術が不必要であり、簡便にしてその効果が高く未熟練作業員がおこなっても高性能の防水性能を確保して、防水面の膨れ発生を完全に防止することができ、さらに工期を大幅に短縮し、経年変化の極めて低い優れた脱気方法を可能ならしめることができた。
【図面の簡単な説明】
【図１】脱気用エアパネルカット斜視図
【図２】脱気用エアパネル切込み折曲げ工程斜視図
【図３】脱気用エアパネルにエアライナー取付け工程図
【図４】脱気用エアパネルにエアキャップ取付け完成図
【図５】脱気用エアパネル施工斜視図及び断面図その１
【図６】脱気用エアパネル施工斜視図及び断面図その２
【図７】脱気用エアパネル取付け配置図
【符号の説明】
１．中空シート
２．脱気用エアパネルの折曲げた片側
３．先端部折曲げ部分
４．切込みスリット
５．通気孔
６．エアライナー（不織布）
７．エアキャップ
８．脱気用エアパネル
９．防水下地面
１０．防水施工周縁立上り部
１１．シーリング
１２．上がり勾配
１３．下がり勾配
１４．脱気用エアパネル間隔
【図１】
2004019423.tif 000003
【図２】
2004019423.tif 000004
【図３】
2004019423.tif 000005
【図４】
2004019423.tif 000006
【図５】
2004019423.tif 000007
【図６】
2004019423.tif 000008
【図７】
2004019423.tif 000009